(57)【要約】【課題】  例えば河川に立設した橋脚等の耐震補強に好適で、安価かつ軽量な略平板状の補強枠を用いて、その圧入装置等の設備の小能力化と低廉化、並びに小形軽量化を図るとともに、水中での作業を回避して、作業の安全性と施工の容易化、並びに工期の短縮化と工費の低減を図れる橋脚等の補強工法を提供すること。【解決手段】  橋脚１等の周囲に複数の補強枠６を連結して立設する。  前記補強枠６を上方に設置した押圧装置２４で押し下げる。  前記補強枠６を橋脚１等の下側周面の周囲に設置する橋脚等の補強工法である。  前記橋脚１等の周囲に略平板状の複数の補強枠６を摺動可能に連結して立設する。  前記補強枠６を前記押圧装置２４を介して個々に押し下げる。  前記補強枠６を所定変位押し下げ後、前記押圧装置２４をその押圧方向と直交方向へ移動し、隣接する他の補強枠６を押し下げる 【選択図】図９
2008138486.tif 000002
【特許請求の範囲】
【請求項１】
橋脚等の周囲に複数の補強枠を連結して立設し、該補強枠を上方に設置した押圧装置で押し下げ、該補強枠を橋脚等の下側周面の周囲に設置する橋脚等の補強工法において、前記橋脚等の周囲に略平板状の複数の補強枠を摺動可能に連結して立設し、該補強枠を前記押圧装置を介して個々に押し下げ、前記補強枠を所定変位押し下げ後、前記押圧装置をその押圧方向と直交方向へ移動し、隣接する他の補強枠を押し下げるようにしたことを特徴とする橋脚等の補強工法。
【請求項２】
前記押圧装置の設置位置を、橋脚等の周面に沿って段階的に下方へ移し変える請求項１記載の橋脚等の補強工法。
【請求項３】
前記押圧装置の伸縮変位に同動可能な振動板を振動し、該振動板の下端部に設けたチャックに前記補強枠の上端部を係合して押し下げる請求項１記載の橋脚等の補強工法。
【請求項４】
前記押圧装置を設置可能な押圧架台を、前記押圧装置の押圧方向と直交方向へ移動可能にするとともに、前記押圧装置を前記押圧架台に沿って位置変更可能にする請求項１記載の橋脚等の補強工法。
【請求項５】
前記橋脚等の周面に前記反力架台を略閉合形状に配置し、前記押圧架台を前記反力架台に沿って橋脚等の周方向に移動可能にする請求項１または請求項４記載の橋脚等の補強工法。
【請求項６】
前記反力架台を、所定変位押し下げ後の補強枠の位置と離間して配置する請求項５記載の橋脚等の補強工法。
【請求項７】
前記押圧装置の押圧作動時、前記反力架台に対し前記押圧架台の移動を拘束する請求項５記載の橋脚等の補強工法。
【請求項８】
前記反力架台を、河川の水面より上方の橋脚等の周面に架設する請求項６記載の橋脚等の補強工法。
【請求項９】
前記複数の補強枠の下端部を河床上に立設し、その上端部を河川の水面より上方に突出して配置する請求項１記載の橋脚等の補強工法。
【請求項１０】
前記複数の補強枠を前記反力架台の下部の外側に配置する請求項１または請求項８記載の橋脚等の補強工法。
【請求項１１】
前記複数の補強枠を所定変位押し下げ後、前記反力架台を撤去し、補強枠と橋脚等の周面との間に充填材を充填する請求項６記載の橋脚等の補強工法。
【発明の詳細な説明】
【技術分野】
【０００１】
本発明は、例えば河川に立設した橋脚等の耐震補強に好適で、安価かつ軽量な略平板状の補強枠を用いて、その圧入装置等の設備の小能力化と低廉化、並びに小形軽量化を図るとともに、水中での作業を回避して、作業の安全性と施工の容易化、並びに工期の短縮化と工費の低減を図れる橋脚等の補強工法に関する。
【背景技術】
【０００２】
例えば既設高架橋等の橋脚の耐震補強法として、橋脚等の柱状構造物に圧入装置を固定するとともに、複数の鋼板ブロックを柱状構造物の周面に当てがい、これをボルトで連結して組み立て、該組み立てブロックを前記圧入装置の圧入ジャッキによって押し下げ、これを地中に進入させて柱状構造物の周囲を囲繞するようにした補強工法がある（例えば、特許文献１参照）。
【０００３】
しかし、前記従来の補強工法は、鋼板ブロックが高価かつ大形大重量で、これをボルトで連結して組み立てているため、組み立てに手間が掛かるとともに、これに重機を要して作業が大掛かりになり、また油圧ジャッキが大形重量化して、工期が長くなり工費が嵩む等の問題があった。
【０００４】
このような問題を解決するものとして、継手を有する直角鋼矢板を油圧ジャッキや振動装置を用いて柱状構造物の地中部に挿入し、該鋼矢板の隣接位置に継手を係合させて直角鋼矢板を挿入し、地盤を掘削することなく柱状構造物の周囲を複数の鋼矢板で囲繞するようにした補強工法がある（例えば、特許文献２参照）。
【０００５】
しかし、この従来の補強工法は直角鋼矢板を使用するため、施工する柱状構造物の断面形状に制約があり、また直角鋼矢板は概して高価かつ大形大重量で、比較的工費の低減を図れるが、幅広の鋼矢板を用いているため大形重量化して、中乃至大能力の油圧ジャッキや振動装置を要し、作業が大掛かりになるという問題があった。
【０００６】
一方、河川に立設した橋脚等の柱状構造物の耐震補強法として、柱状構造物に圧入装置を固定するとともに、複数の鋼板ブロックを柱状構造物の周面に当てがい、これをボルトで連結し、かつその接合部にゴムパッキンを介挿して水密に組み立て、該組立ブロックを前記圧入装置の圧入ジャッキによって押し下げ、これを水底地盤に貫入させて水密的に締切るようにした補強工法がある（例えば、特許文献３参照）。
【０００７】
しかし、前記従来の補強工法は、鋼板ブロックが高価かつ大形大重量で、これをボルトで連結するとともに、その接合部にゴムパッキンを介挿して水密に組み立てるため、部品点数が増加し組み立てに手間が掛かるとともに、河川での施工時には重機を用いて水底で組み立て、鋼板ブロックを多段に積み重ねる等して、作業が大掛かりで難しく、しかも油圧ジャッキが大形重量化して、工期が長期化し工費が嵩む等の問題があった。
【０００８】
【特許文献１】特許第３２４９７８９号公報
【特許文献２】特開２００５−２４８６１３号公報
【特許文献３】特開２００３−２５３６８５号公報
【発明の開示】
【発明が解決しようとする課題】
【０００９】
本発明はこのような問題を解決し、例えば河川に立設した橋脚等の耐震補強に好適で、安価かつ軽量な略平板状の補強枠を用いて、その圧入装置等の設備の小能力化と低廉化、並びに小形軽量化を図るとともに、水中での作業を回避して、作業の安全性と施工の容易化、並びに工期の短縮化と工費の低減を図れる橋脚等の補強工法を提供することを目的とする。
【課題を解決するための手段】
【００１０】
請求項１の発明は、橋脚等の周囲に複数の補強枠を連結して立設し、該補強枠を上方に設置した押圧装置で押し下げ、該補強枠を橋脚等の下側周面の周囲に設置する橋脚等の補強工法において、前記橋脚等の周囲に略平板状の複数の補強枠を摺動可能に連結して立設し、該補強枠を前記押圧装置を介して個々に押し下げ、前記補強枠を所定変位押し下げ後、前記押圧装置をその押圧方向と直交方向へ移動し、隣接する他の補強枠を押し下げるようにして、安価かつ軽量な略平板状の補強枠を用い、またその圧入装置等の設備の小能力化と低廉化、並びに小形軽量化を図ることによって、工期の短縮化と工費の低減を図れるようにしている。
【００１１】
請求項２の発明は、前記押圧装置の設置位置を、橋脚等の周面に沿って段階的に下方へ移し変えるようにして、前記押圧装置の小能力化を図り、その低廉化と小形軽量化を図るようにしている。
請求項３の発明は、前記押圧装置の伸縮変位に同動可能な振動板を振動し、該振動板の下端部に設けたチャックに前記補強枠の上端部を係合して押し下げるようにして、補強枠を地盤に容易に圧入し得るようにしている。
請求項４の発明は、前記押圧装置を設置可能な押圧架台を、前記押圧装置の押圧方向と直交方向へ移動可能にするとともに、前記押圧装置を前記押圧架台に沿って位置変更可能にして、小能力かつ少数の押圧装置によって、複数の補強枠に対する段階的な押し下げ作業を実現するようにしている。
【００１２】
請求項５の発明は、前記橋脚等の周面に前記反力架台を略閉合形状に配置し、前記押圧架台を前記反力架台に沿って橋脚等の周方向に移動可能にするようにして、押圧架台に設置する押圧装置を橋脚等の周方向に移動させ、複数の補強枠に対する押し下げ作業を実現するようにしている。
請求項６の発明は、前記反力架台を、所定変位押し下げ後の補強枠の位置と離間して配置するようにして、補強枠の押し下げ後の反力架台の撤去を容易に行なえるようにしている。
請求項７の発明は、前記押圧装置の押圧作動時、前記反力架台に対し前記押圧架台の移動を拘束するようにして、押圧装置の移動を阻止し、補強枠に対する押し下げを安全かつ確実に行なえるようにしている。
請求項８の発明は、前記反力架台を、河川の水面より上方の橋脚等の周面に架設するようにして、反力架台の架設を容易かつ安全に行なえるようにしている。
【００１３】
請求項９の発明は、前記複数の補強枠の下端部を河床上に立設し、その上端部を河川の水面より上方に突出して配置するようにして、補強枠の配置と押し下げ作業を安全かつ容易に行なえるようにしている。
請求項１０の発明は、前記複数の補強枠を前記反力架台の下部の外側に配置するようにして、反力架台の下部を利用した補強枠の保持を促し、補強枠を容易かつ安全に配置し得るようにしている。
請求項１１の発明は、前記複数の補強枠を所定変位押し下げ後、前記反力架台を撤去し、補強枠と橋脚等の周面との間に充填材を充填するようにして、充填材を容易に充填し得るとともに、反力架台の幅厚相当の充填材の充填を実現し得るようにしている。
【発明の効果】
【００１４】
請求項１の発明は、橋脚等の周囲に略平板状の複数の補強枠を摺動可能に連結して立設し、該補強枠を前記押圧装置を介して個々に押し下げ、前記補強枠を所定変位押し下げ後、前記押圧装置をその押圧方向と直交方向へ移動し、隣接する他の補強枠を押し下げるから、補強枠の低廉化と軽量化を図れるとともに、その圧入装置等の設備の小能力化と低廉化、並びに小形軽量化を図れ、工期の短縮化と工費の低減を図ることができる。
【００１５】
請求項２の発明は、前記押圧装置の設置位置を、橋脚等の周面に沿って段階的に下方へ移し変えるから、前記押圧装置の小能力化を図れ、その低廉化と小形軽量化を図ることができる。
請求項３の発明は、前記押圧装置の伸縮変位に同動可能な振動板を振動し、該振動板の下端部に設けたチャックに前記補強枠の上端部を係合して押し下げるから、補強枠を地盤に容易に圧入することができる。
請求項４の発明は、前記押圧装置を設置可能な押圧架台を、前記押圧装置の押圧方向と直交方向へ移動可能にするとともに、前記押圧装置を前記押圧架台に沿って位置変更可能にするから、小能力かつ少数の押圧装置によって、複数の補強枠に対する段階的な押し下げ作業を実現することができる。
【００１６】
請求項５の発明は、前記橋脚等の周面に前記反力架台を略閉合形状に配置し、前記押圧架台を前記反力架台に沿って橋脚等の周方向に移動可能にするから、押圧架台に設置する押圧装置を橋脚等の周方向に移動させ、複数の補強枠に対する押し下げ作業を実現することができる。
請求項６の発明は、前記反力架台を、所定変位押し下げ後の補強枠の位置と離間して配置するから、補強枠の押し下げ後の反力架台の撤去を容易に行なうことができる。
請求項７の発明は、前記押圧装置の押圧作動時、前記反力架台に対し前記押圧架台の移動を拘束するから、押圧装置の移動を阻止し、補強枠に対する押し下げを安全かつ確実に行なうことができる。
請求項８の発明は、前記反力架台を、河川の水面より上方の橋脚等の周面に架設するから、反力架台の架設を容易かつ安全に行なうことができる。
【００１７】
請求項９の発明は、前記複数の補強枠の下端部を河床上に立設し、その上端部を河川の水面より上方に突出して配置するから、補強枠の配置と押し下げ作業を安全かつ容易に行なうことができる。
請求項１０の発明は、前記複数の補強枠を前記反力架台の下部の外側に配置するから、反力架台の下部を利用した補強枠の保持を促し、補強枠を容易かつ安全に配置することができる。
請求項１１の発明は、前記複数の補強枠を所定変位押し下げ後、前記反力架台を撤去し、補強枠と橋脚等の周面との間に充填材を充填するから、充填材を容易に充填し得るとともに、反力架台の幅厚相当の充填材の充填を実現することができる。
【発明を実施するための最良の形態】
【００１８】
以下、本発明を河川に立設した橋脚の耐震補強に適用した図示の実施形態について説明すると、図１乃至図１６において１は河川２に立設した、柱状構造物である鉄筋コンクリ−ト製の円柱状の橋脚で、その下端部が川床３の内部に布設したフ−チング４上に立設され、その上端部に床版５が架設されている。
【００１９】
前記橋脚１の下部周面に、一部を水中に没入して補強枠６が囲繞して施工され、該補強枠６と橋脚１との間にコンクリ−ト等の充填部材７が充填されている。
前記補強枠６は実施形態の場合、縦長の略平板状、すなわち平板状または緩やかに湾曲した直線状の鋼矢板が複数使用され、該鋼矢板の両端に略Ｕ字形断面の継手８，８が設けられ、該継手８，８の係合を介して隣接する補強枠６を摺動可能に連結可能にしている。
【００２０】
前記補強枠６を橋脚１の下部周面に施工する場合は、先ず水面より上方の橋脚１の上部周面に反力架台９を架設し、後述する押圧装置を設置可能にしている。
前記反力架台９は、複数の反力枠１０を橋脚１の周面に略環状に配置し、これを上下に離間して配置していて、下側の反力枠１０の高さを、圧入後の補強枠６の上端部直上に配置している。
前記反力枠１０は実施形態の場合、Ｈ型鋼を使用し、これを橋脚１の周面と同形に湾曲成形し、該成形した６個の反力枠１０を橋脚１の周面に閉合形ないし環状に配置している
【００２１】
そして、前記成形した反力枠１０の一方のウェブ１０ａを橋脚１の周面に離間して配置し、その隣接する反力枠１０の端部同志をボルト・ナット１１で緊結し、前記ウェブ１０ａの内面を橋脚１の周面に圧接している。
【００２２】
前記上下位置の反力枠１０の中央部または両端部に接続片１２が対向して突設され、この上下一対の接続片１２に連結枠１３がボルト・ナット１４で緊結して連結されている。
前記連結枠１３は実施形態の場合、Ｌ型鋼を使用し、その起立側のウェブ１３ａの両端部をボルト・ナット１４で緊結し、橋脚１の周面に密着させた圧接側のウェブ１３ｂに複数のアンカ−ボルト１５を配置し、該ボルト１５を橋脚１の周面にねじ込んで連結枠１３を固定している。
【００２３】
前記上下一対の反力枠１０に沿って、橋脚１の円周方向に押圧架台１６が移動可能に設置され、該押圧架台１６は左右一対のステップレ−ル１７を有し、該レ−ル１７の上下端部に支持フレ−ム１８，１９を突設している。
このうち、上側の支持フレ−ム１８にガイドロ−ラ２０が回転自在に軸支され、また下側の一対の支持フレ−ム１９にガイドロ−ラ２１が回転自在に軸支され、これらのガイドロ−ラ２０，２１が、上下位置の反力枠１０のウェブ１０ｂに走行可能に収容されている
【００２４】
この場合、実施形態では単一の押圧架台１６を反力枠１０に設置しているが、これを複数設置することも可能で、そのようにすれば後述する補強枠６の圧入を迅速かつ能率良く行なえる。
【００２５】
前記ステップレ−ル１７に複数のピン孔２２が形成され、該孔２２にピン２３が着脱可能に挿入され、該ピン２３を介して油圧を駆使した押圧装置である、圧入ジャッキ２４の取り付け位置を変更可能にしている。
前記圧入ジャッキ２４は伸縮変位可能なピストンロッド２５を備え、該ピストンロッド２５の先端部に連結片２６が取り付けられている。前記連結片２６に振動板２７が取り付けられ、該振動板２７上に振動装置である振動モ−タ２８が設置されている。
【００２６】
前記振動板２７の下端部の両側にチャックアーム３６の上部が連結され、該アーム３６の下端部の内側に略Ｕ字形断面のチャック２９が取り付けられている。
前記チャック２９は補強枠６の上端部と係合可能にされ、その押圧変位を介して補強枠６を押し下げ可能にしている。
【００２７】
図中、３０は前記支持フレ−ム１８の上端部に設置した吊上機である電動式のウィンチで、補強枠６を所定変位圧入後に駆動し、巻上ドラム（図示略）に捲回したワイヤ（図示略）を介して、圧入ジャッキ２４と一体的な振動板２８と、振動装置２８とを一緒に吊上げ、これを所定の圧入開始高さ位置に移動可能にしている。
【００２８】
前記ウィンチ３０の両側に横移動ロ−ラ３１が配置され、該ロ−ラ３１が上側の反力枠１０上に連続して架設した横移動レ−ル３６に走行可能に収容されている。
３２はステップレ−ル１７，１７の上部に一端を固定し、他端を下側の反力枠１０の所定位置に連結した鋼棒等のテンション部材で、その中間部にタ−ンバックル３３が設けられ、補強枠６の圧入時にタ−ンバックル３３を操作し、テンション部材３２を緊張させて、押圧架台１６の移動を阻止可能にしている。
【００２９】
この他、図中、３４は押圧架台１６の下端部中央に突設したガイドプレ−トで、その内面を前記ウェブ１０ｂの外面に係合可能に近接配置され、またその内面に係合板３５が下側の反力枠１０の下面に係合可能に近接配置され、前記ガイドロ−ラ２１の位置ずれを防止可能にしている。
【００３０】
図中、３７は前記ピストンロッド２５と同動可能に連結したロ−ラブラケットで、該ブラケット３７の両側に浮上り防止ロ−ラ３８が回転自在に設けられ、前記振動板２７と係合可能に配置されている。
すなわち、前記ロ−ラ３８，３８は振動板２７と係合して、補強枠６の圧入時における振動板２７の浮上り変位（前傾変位）を防止し、かつチャックアーム３６の同動変位を阻止して、チャック２９，２９を補強枠６に確実に係合し、チャック２９の押圧力を補強枠６へ確実かつ安定して伝達可能にしている。
【００３１】
このように構成した橋脚等の補強工法によって、河川２に立設した橋脚１を耐震補強する場合は、施工対象の橋脚１の周囲に作業用の足場（図示略）を設置する。
前記足場は河床３から立設し、その高さを反力架台９の設置に十分な高さにする。
次に、前記足場を利用して反力架台９を橋脚１の周面の所定位置、すなわち河川２の水面より上方で、補強枠６の施工高さの上方に架設する。
【００３２】
前記反力架台９を架設する場合は、その架設枠としてＨ型鋼の反力枠１０を複数使用し、これを予め橋脚１の周面と同形に成形する。
実施形態では橋脚１が円形断面であるため、同様な曲率に湾曲成形し、これを施工現場に設置した重機（図示略）によって橋脚１の円周方向に配置し、その隣接する反力枠１０の端部同志をボルト・ナット１１で緊結し、反力枠１０の内面を橋脚１の周面に圧接して密着配置する。
【００３３】
こうして複数の反力枠１０を環状に組み付け、その上下位置に同様な要領で複数の反力枠１０を環状に組み付け、それらに対向配置した接続片１２，１２に連結枠１３をボルト・ナット１４で連結する。
前記接続片１２として実施形態の場合、Ｌ型鋼を使用し、その起立側のウェブ１３ａの両端部をボルト・ナット１４で緊結し、橋脚１の周面に密着させウェブ１３ｂに複数のアンカ−ボルト１５を配置し、該ボルト１５を橋脚１の周面にねじ込んで連結枠１３を固定する。
【００３４】
次に、前記架設した反力架台９に前記上下一対の反力枠１０に沿って、押圧架台１６を移動可能に設置する。
前記押圧架台１６の設置に際しては、該架台１６を構成する一対のステップレ−ル１７と、その上下端部に設けた支持フレ−ム１８，１９と、前記支持フレ−ム１８，１９に回転自在に軸支したガイドロ−ラ２０，２１と、前記レ−ル１７の下端部に配置するガイドプレ−ト３４と係合板３５とを、予め組み立てて置く。
【００３５】
そして、前記押圧架台１６のアセンブリを前記重機を用いて、反力架台９の周面に吊り下げ、前記ガイドロ−ラ２０，２１を上下位置の反力枠１０のウェブ１０ｂ上に係合して設置し、ガイドプレ−ト３４と係合板３５とを下側の反力枠１０に係合可能に取り付ける
【００３６】
前記押圧架台１６のアセンブリを取り付け後、該架台１６に圧入ジャッキ２４と振動板２７と油圧モ−タ２８を取り付ける。この場合は、予め圧入ジャッキ２４のピストンロッド２５の先端部に連結片２６を連結し、該連結片２６に振動板２７を連結し、該振動板２７に油圧モ−タ２８を取り付けて置く。
【００３７】
そして、前記圧入装置のアセンブリを前記重機を用いて、押圧架台１６の周面に吊り下げ、圧入ジャッキ２４の上端部を上側のピン孔２２に位置付け、これにピン２３を挿入して、圧入ジャッキ２４をステップレ−ル１７に固定し、振動板２７および油圧モ−タ２８を吊り下げる。
また、上側の支持フレ−ム１８上にウィンチ３０およびその巻上ドラム（図示略）を設置し、その両側に配置した横移動用ロ−ラ３１を、上側の反力枠１０上に架設した横移動レ−ル３６に走行可能に収容する。
【００３８】
この後、ステップレ−ル１７，１７の上部と、下側の反力枠１０の所定位置にテンション部材３２の両端部を連結し、その中間部にタ−ンバックル３３を取り付ける。
このようにして、反力架台９と押圧架台１６の一連の架設作業が終了する。この状況は図３のようである。
この場合、押圧架台１６を補強枠６の圧入開始位置に移動し、前記タ−ンバックル３３を緊張操作して、補強枠６の連結時における移動を阻止し、当該位置を固定して置くことが望ましい。
【００３９】
こうして反力架台９と押圧架台１６の架設後、施工現場に補強枠６を搬送し、その１枚１枚を前記重機を用いて吊り下げ、これを前記架設した上下の反力枠１０の周面の外側に離間して位置付け、その一部を河川２に没入して河床３上に立設する。
その際、前記立設した補強枠６を適宜手段で反力枠１０の周面に保持する。
【００４０】
次に、別の補強枠６を重機で吊り下げ、これを前記補強枠６の隣接位置に位置付け、その一部を河川２に没入して河床３上に立設する。
その際、補強枠６の継手８を立設した補強枠６の継手８に係合し、補強枠６同士を連結する。
【００４１】
以後、順次、補強枠６を重機で吊り下げ、これを先行の補強枠６の隣接位置に位置付け、その一部を河川２に没入して河床３上に立設し、かつ互いの継手８を係合して、隣接する補強枠６同士を連結する。
このようにして、反力架台９の下側の反力枠１０の周面の外側に、河床３上に亘って複数の補強枠６を環状に配置する。この状況は図７および図８のようである。
【００４２】
このような状況の下で押圧架台１６を補強枠６の圧入開始位置に移動し、前記タ−ンバックル３３を緊張操作して、押圧架台１６を反力架台９に固定し、補強枠６の圧入時における移動を阻止する。
実施形態では前述のように、補強枠６の連結時に反力架台９に対し、押圧架台１６を補強枠６の圧入開始位置に固定し、かつステップレ−ル１７の上側にピン２３を介して圧入ジャッキ２４を固定し、振動板２７の下端に設けたチャック２９を補強枠６の上端部直上に位置付けている。
【００４３】
このような状況の下で圧入ジャッキ２４を伸長作動し、そのピストンロッド２５を下方へ伸長するとともに、振動モ−タ２８を駆動して、振動板２７を振動させる。
このようにすると振動板２７が下方へ移動し、これにチャックアーム３６が同動し、チャック２９，２９が補強枠６の上端部に係合して、これを下方へ押圧する。
【００４４】
このため、前記補強枠６が押し下げられ、その下端部が河床３内へ圧入される。その際、前記補強枠６が振動板２７の振動に同動し、河床３内へ迅速かつ円滑に圧入される。
このような補強枠６の圧入時は、前記浮上り防止ロ−ラ３８が振動板２７に係合し、該振動板２７の浮上り変位（前傾変位）を防止し、チャックアーム３６の同様な変位を阻止する。
このため、チャック２９，２９が補強枠６の上端部に確実に係合し、その押圧力を補強枠６へ確実かつ安定して伝達する。
【００４５】
また、前記補強枠６は隣接する補強枠６の継手８に保持され、該継手８に沿って摺動するから、略垂直に安定して移動し、圧入時の変形や座屈を未然に防止する。
なお、河床３が岩盤であったり岩石の出現が予想される場合は、圧入前にそれらをバックフォ−等で粉砕したり除去して圧入可能にし、または補強枠６の下端部にジェット機構を付設して、岩盤等を粉砕しながら圧入可能にする。
【００４６】
こうして、圧入ジャッキ２４が更に伸長作動し、ピストンロッド２５がフルストロ−ク伸長して、補強枠６が河床３内へ圧入される。この状況は図９および図１０のようである
この後、ウィンチ３０の巻上ドラム（図示略）に捲回したワイヤ（図示略）の一端を圧入ジャッキ２４の上端部に連結し、該ジャッキ２４と振動板２７、振動モ−タ２８等を一緒に保持可能にしたところで、ピン２３をピン孔２２から引き抜き、圧入ジャッキ２４の固定状態を解除し、圧入ジャッキ２４を縮小作動する。
【００４７】
そして、前記ウィンチ３０のワイヤを捲き戻し、圧入ジャッキ２４を前記ストロ−ク分下方へ移動し、その移動位置でピン２３を下方のピン孔２２に挿入し、ステップレ−ル１７に対する圧入ジャッキ２４の固定位置を移し変える。この状況は図１１のようである。
【００４８】
この後、圧入ジャッキ２４の伸長作動を再開し、ピストンロッド２５を下方へ伸長するとともに、振動モ−タ２８を駆動して振動板２７を振動させ、補強枠６を河床３内へ圧入する。
そして、圧入ジャッキ２４をフルストロ−ク伸長し、補強枠６を河床３内へ圧入したところで、ピン２３を引き抜き、圧入ジャッキ２４を縮小作動して、ステップレ−ル１７に対する固定位置を下方へ移し変える。この状況は図１２のようである。
【００４９】
以後、圧入ジャッキ２４の固定位置を順次下方へ移し変え、該ジャッキ２４をフルストロ−ク伸長作動して、補強枠６を河床３内へ次第に圧入し、その下端部がフ−チング４の上端部へ到達したところで、圧入ジャッキ２４の伸長作動を停止し、当該補強枠６の圧入を終了する。
この状況は図１３のようで、補強枠６の上端部が下側の反力枠１０の直下に位置する。
【００５０】
この後、ピン２３を引き抜き、圧入ジャッキ２４を縮小作動して、ステップレ−ル１７に対する固定状態を解除する。
そして、前記ウィンチ３０を駆動してワイヤを捲き上げ、圧入ジャッキ２４と振動板２７、振動モ−タ２８等を一緒に引き上げ、これらを補強枠６の圧入当初の原位置へ移動したところで、タ−ンバックル３３，３３を緩め、押圧架台１６と反力枠１０との固定状態を解除し、押圧架台１６を横方向へ押し動かす。
【００５１】
このようにすると、ガイドロ−ラ２０，２１が上下の反力枠１０のウェブ１０ｂに沿って走行し、また横移動ロ−ラ３１が横移動レ−ル３６に沿って走行し、押圧架台１６が横方向へ移動し、隣接する補強枠６の中央位置へ移動したところで停止させる。
そして、下側のテンション部材３３の固定位置を移し変え、前記タ−ンバックル３３を緊張操作し、押圧架台１６を下側の反力枠１０に固定する。
【００５２】
この後、ステップレ−ル１７の上側にピン２３を介して圧入ジャッキ２４を固定し、チャック２９を補強枠６の上端部直上に位置付け、圧入ジャッキ２４を伸長作動する。
そして、前述と同様にピストンロッド２５を下方へ伸長し、振動モ−タ２８を駆動して振動板２７を振動させ、これにチャック２９を同動させて補強枠６の上端部を係合し、これを下方へ押圧して、その下端部を河床３内へ圧入する。
【００５３】
この後、圧入ジャッキ２４をフルストロ−ク伸長作動し、補強枠６を河床３内へ圧入後、ウィンチ３０に連係するワイヤを介して、圧入ジャッキ２４と振動板２７、振動モ−タ２８等を一緒に保持可能にしたところで、ピン２３を引き抜き、圧入ジャッキ２４の固定状態を一旦解除して、圧入ジャッキ２４を縮小作動する。
【００５４】
そして、前記ウィンチ３０を介して、圧入ジャッキ２４を前記ストロ−ク分下方へ移動し、その移動位置でピン２３を下方のピン孔２２に挿入し、ステップレ−ル１７に対する圧入ジャッキ２４の固定位置を移し変える。
この後、圧入ジャッキ２４の伸長作動を再開し、ピストンロッド２５を下方へ伸長するとともに、振動モ−タ２８を駆動して振動板２７を振動させ、補強枠６を河床３内へ圧入する。
【００５５】
以後、圧入ジャッキ２４の固定位置を順次下方へ移し変え、該ジャッキ２４をフルストロ−ク伸長作動して、補強枠６を河床３内へ次第に圧入し、その下端部がフ−チング４の上端部へ到達したところで、圧入ジャッキ２４の伸長作動を停止し、当該補強枠６の圧入を終了する。
【００５６】
そして、ピン２３を引き抜き、圧入ジャッキ２４を縮小作動して、ステップレ−ル１７に対する固定状態を解除し、前記ウィンチ３０を駆動して圧入ジャッキ２４と振動板２７、振動モ−タ２８等を一緒に引き上げ、これらを補強枠６の圧入当初の原位置へ移動する
【００５７】
この後、タ−ンバックル３３，３３を緩め、押圧架台１６と反力枠１０との固定状態を解除し、押圧架台１６を横方向へ押し動かし、該架台１６を隣接する補強枠６の中央位置へ移動したところで停止し、当該位置で直下の補強枠６を前述の要領で河床３に圧入する
【００５８】
以後、順次、補強枠６を河床３に圧入し、圧入後は圧入ジャッキ２４を原位置へ引き上げ、押圧架台１６を次期施工位置である補強枠６位置へ移動し、該補強枠６を圧入ジャッキ２４によって段階的に圧入し、その下端部をフ−チング４上に設置する。
この状況は図１４乃至図１６のようで、これらは施工途中の状況を示し、圧入した補強枠６の上端部直上に下側の反力枠１０が位置している。
【００５９】
こうして、押圧架台１６を橋脚１の周面に沿って１周させ、全ての補強枠６を圧入した後、押圧架台１６と反力架台９を重機を駆使して順に撤去する。
この場合、圧入後の補強枠６と、反力架台９および押圧架台１６とは、前述のように上下に離間しているから、押圧架台１６と反力架台９の撤去を容易かつ安全に行なえ、しかも圧入ジャッキ２４やウィンチ３０は小能力で小形軽量であるから、前記撤去作業を容易に行なえる。図１はその撤去後の状況を示している。
【００６０】
前記撤去後は、圧入した環状の補強枠６と橋脚１の周面との間に空スペ−スが形成され、該スペ−スにコンクリ−ト等の充填部材７を充填し、補強枠６を補強する。
そして、充填部材７の硬化後、橋脚１の周面の作業足場を撤去すれば、一連の補強工事が終了する。
【００６１】
このように本発明の施工法は、補強枠６として軽量かつ安価な略平板状の鋼矢板を使用し、これを環状に配置しているから、その圧入に使用する圧入ジャッキ２４や振動モ−タ２８、ウィンチ３０等の小能力化と低廉化、並びに小形軽量化を図れ、施工の容易化を促せる。
また、橋脚１の周面に複数の補強枠６を環状に配置し、該補強枠６を個々に施工部に圧入等の手段で移動し配置しているから、圧入等の移動手段の小能力化と低廉化、並びに小形軽量化を図れ、施工の容易化を促せる。
【００６２】
また、本発明の施工法は、橋脚１の周面に反力架台９を架設し、該架台９に橋脚１の周面に沿って押圧架台１６を移動し、補強枠６を個々に施工部に圧入等の手段で移動しているから、重機による施工が困難な河川等における橋脚１の補強工法に好適である。
しかも、押圧架台１６に設置した圧入ジャッキ２４等の装置を段階的に作動し、補強枠６を段階的に移動して施工部に配置しているから、圧入ジャッキ２４等の装置の小能力化と低廉化、並びに小形軽量化を図れる。
【００６３】
更に、反力架台９の外側に補強枠６を環状に配置し、かつ押圧架台１６を圧入後の補強枠６と離間して設置するから、押圧架台１６を利用して補強枠６の環状配置を容易に行なえるとともに、補強枠６の圧入後は、押圧架台１６や反力架台９の取り外しや撤去作業を容易かつ合理的に行なえる。
【００６４】
一方、こうして補強した橋脚１は外周面を補強枠６で被覆し、橋脚１と補強枠６との間にコンクリ−ト等の充填材７を充填しているから、橋脚１の周面の強度を強化し得る。
また、前記充填材７を反力架台９の幅相当に厚幅に形成するから、橋脚１の強度を向上し得る。
【００６５】
なお、橋脚１の脚長が長く、その周面に前述の補強工法を適用する場合は、最下位置に前述の補強工法を施工し、当該施工部に充填部材７を充填し、または充填しないで、反力架台９と押圧架台１６を撤去し、前記施工した補強枠６上に重機を用いて補強枠６を環状に積重配置し、これらの前記空スペ−スに充填部材７を一時に充填すれば、既設の足場を利用して合理的かつ安価に施工できる。
【産業上の利用可能性】
【００６６】
本発明の橋脚等の補強工法は、安価かつ軽量な略平板状の補強枠を用いて、その圧入装置等の設備の小能力化と低廉化、並びに小形軽量化を図るとともに、水中での作業を回避して、作業の安全性と施工の容易化、並びに工期の短縮化と工費の低減を図れるから、例えば河川に立設した橋脚等の耐震補強に好適である。
【図面の簡単な説明】
【００６７】
【図１】本発明を河川に立設した橋脚の耐震補強に適用した実施形態を示す施工後の状況を示す断面図である。
【図２】図１のＡ−Ａ線に沿う断面図である。
【図３】前記橋脚の耐震補強の施工状況を示す正面図で、橋脚の所定位置周面に反力架台を架設し、該架台に押圧架台を設置している。
【００６８】
【図４】図３の要部を拡大して示す正面図で、反力架台と押圧架台との設置状況を示している。
【図５】本発明に使用した反力架台と押圧架台との架設状況を拡大して示す正面図である。
【図６】図５のＢ−Ｂ線に沿う断面図である。
【００６９】
【図７】前記橋脚の耐震補強の施工状況を示す正面図で、橋脚の所定位置周面に反力架台を架設後、該架台の外側に補強枠を環状に連結し、これを河床上に立設して配置している状況を示している。
【図８】図７のＣ−Ｃ線に沿う断面図で、反力架台と補強枠をとの配置状況を示している。
【図９】前記橋脚の耐震補強の施工状況を示す正面図で、橋脚の周面に配置した補強枠の一つを、圧入ジャッキを作動して河床に圧入している途中の状況を示している。
【００７０】
【図１０】図９の要部を拡大して示す正面図で、圧入ジャッキを作動して補強枠を圧入している状況を示している。
【図１１】圧入ジャッキの作動状況を拡大して示す正面図で、圧入ジャッキをフルストロ−ク伸長作動後、圧入ジャッキを収縮して下方位置へ移し変えた状況を示している。
【図１２】圧入ジャッキを作動状況を拡大して示す正面図で、圧入ジャッキを下方位置へ移し変え後、フルストロ−ク伸長作動している状況を示している。
【００７１】
【図１３】前記橋脚の耐震補強の施工状況を示す正面図で、橋脚の周面に配置した補強枠の一つを、圧入ジャッキを作動して河床に圧入した直後の状況を示している。
【図１４】前記橋脚の耐震補強の施工状況を示す正面図で、橋脚の周面に配置した補強枠を河床に圧入後、押圧架台を反力枠に沿って移動する直前の状況を示している。
【図１５】図１４の一部を拡大して示す正面図で、押圧架台を反力枠に沿って移動する直前の状況を示している。
【００７２】
【図１６】前記橋脚の耐震補強の施工状況を示す正面図で、橋脚の周面に配置した補強枠の半数を河床に圧入した状況を示している。
【符号の説明】
【００７３】
１        橋脚
２        河川
３        河床
６        補強枠（鋼矢板）
７        充填材
９        反力架台
１０      反力枠
１６      押圧架台
２４      押圧装置（圧入ジャッキ）
２７      振動板
２９      チャック
【図１】
2008138486.tif 000003
【図２】
2008138486.tif 000004
【図３】
2008138486.tif 000005
【図４】
2008138486.tif 000006
【図５】
2008138486.tif 000007
【図６】
2008138486.tif 000008
【図７】
2008138486.tif 000009
【図８】
2008138486.tif 000010
【図９】
2008138486.tif 000011
【図１０】
2008138486.tif 000012
【図１１】
2008138486.tif 000013
【図１２】
2008138486.tif 000014
【図１３】
2008138486.tif 000015
【図１４】
2008138486.tif 000016
【図１５】
2008138486.tif 000017
【図１６】
2008138486.tif 000018